(57)【要約】      （修正有）【課題】カメラ付き懐中電灯において、画像や音声として関係各所に速やかに通報することができるよう、照明手段、撮影手段、送信手段を一体化した装置を提供する。【解決する手段】所定大きさの懐中電灯本体１と、該懐中電灯本体１に設けられた撮影手段２、送信手段４とを備える。撮影手段２は、ＣＣＤ（Ｃｈａｒｇｅ  Ｃｏｕｐｌｅｄ  Ｄｅｖｉｃｅ）カメラ２ａ、記録媒体２ｂ、バッテリー２ｃ、カメラの集積回路等の制御回路２ｄとを備える。照明手段として、上記カメラ２ａを中心に環状にＬＥＤ等からなる発光体を設置する。送信手段４は、ＬＣＤコントローラ、操作パネル若しくは操作ボタンでの操作により、電波でカメラの映像を撮像データとして関係各所に送信する。【選択図】図２
0003142539.tif 000002
【実用新案登録請求の範囲】
【請求項１】
電球等の照明手段と、該照明手段と電気的に接続された電池等のバッテリーとを有する懐中電灯本体と、該懐中電灯本体に設けられた撮影手段とを備えてなる懐中電灯において、
前記撮影手段は、静止画、動画、音声等の撮像データを保存する記録媒体及び／又は前記撮像データを関係各所に送信せしめる送信手段を備えたことを特徴とする懐中電灯。
【請求項２】
電球等の照明手段と、該照明手段と電気的に接続された電池等のバッテリーとを有する懐中電灯本体と、該懐中電灯本体に設けられた撮影手段とを備えてなる懐中電灯において、
前記撮影手段は、撮像するための光学情報を取り込むカメラレンズと、画像を一時的に記憶し若しくはその画像を保管する画像メモリ等の記録媒体と、撮影条件及び／又は撮像データの制御を行う制御回路と、操作パネル若しくは操作ボタンの操作で撮像データを関係各所に送信せしめる送信手段とを備えてなることを特徴とする懐中電灯。
【請求項３】
前記撮影手段は、記録媒体に光が当たる時間を調整するシャッターボタンと、赤外光を照射して暗視を行なう暗視レンズ及び／又は瞬時に光を発生させるストロボ若しくはフラッシュとを備えてなることを特徴とする請求項１又は２に記載の懐中電灯。
【請求項４】
前記撮影手段は、懐中電灯本体から遊離されて床や路面上に設置するための敷設部材を備えてなることを特徴とする請求項１、２又は３に記載の懐中電灯。
【請求項５】
前記敷設部材は、照明手段、撮影手段、送信手段の全て又は何れかを選択又は組み合わせて取り付けるための取付凹部と、照明手段及び／又は撮影手段をＯＮ／ＯＦＦせしめるスイッチとを備えてなるマットであることを特徴とする請求項４に記載の懐中電灯。
【考案の詳細な説明】
【技術分野】
【０００１】  本考案は、懐中電灯の改良に関し、更に詳しくは、懐中電灯としてだけではなく記録媒体若しくは送信手段を搭載した防犯防災の必需品として大きな役割を果たすことができる有用な懐中電灯に関する。
【背景技術】
【０００２】  一般的に、警察官、警備会社のガードマン、消防士、道路管理者、鉄道事業者といった職業では、光量の少ない時間帯（夜間）や場所（地下施設）で警備や警邏を行ったり、事故の検証や処理を行う際に懐中電灯を使用している。【０００３】  従来、斯かる懐中電灯としては、例えば、所定大きさの懐中電灯本体と、該懐中電灯本体の一端側に配設されてなるカメラレンズ，電球及びマイクロホンと、該懐中電灯本体の他端側に形成され内部に電池が収納される電池収納ボックスと、前記懐中電灯本体に内蔵されてなると共に前記電池収納ボックス内の電池により駆動される写真装置及び録音装置と、前記写真装置に形成され写真フィルムが装填されるフィルム装填スペースと、前記録音装置に形成され録音テープが装填される録音テープ装填スペースと、前記フィルム装填スペース及び録音テープ装填スペースを開閉する開閉扉と、前記懐中電灯本体の側面に配設されてなる電灯スイッチ，シャッタースイッチ，録音スイッチとを少なくとも備えてなる録音機能を有するカメラ付懐中電灯が既に案出されている（特許文献１参照）。
【特許文献１】特開平５−１２８９０２号公報
【考案の開示】
【考案が解決しようとする課題】
【０００４】  しかしながら、上述した従来のカメラ付き懐中電灯では、送信手段を有していないため、事故の状況を画像や音声として記録することはできても、これを管理者や所定官庁等の関係各所に速やかに通報することができないといった問題がある。【０００５】  特に、昨今では、予期しない咄嗟的な犯罪が多発したり、通り魔的な犯行に捜査が難航している現状や、一般市民への二次犯罪が発生する可能性が十分に起こり得る状況にあることを鑑みると、暴漢等の事件、事故による咄嗟的な行動に素早く対応すべく犯行現場や事故現場の一部始終を画像で記録できるのみならず、リアルタイムにその撮像データを関係各所に送信できるスピード感が要求されており、誰が、何時に、何処で実行されたのか等の情報が早急に解明される必要性に迫られている。【０００６】  本考案は、このような従来の問題点及び要求に鑑みてなされたもので、ライトを向けただけで瞬時に犯人、事故現場等を撮影し、その一連の犯行、事件、事故現場を動画としても録画することができるのみならず、その動画等の撮像データを関係各所にリアルタイムに送信することができる有用な懐中電灯の提供を目的としたものである。
【課題を解決するための手段】
【０００７】  上述の如き従来の問題点を解決し、所期の目的を達成するため本考案の要旨とする構成は、電球等の照明手段と、該照明手段と電気的に接続された電池等のバッテリーとを有する懐中電灯本体と、該懐中電灯本体に設けられた撮影手段とを備えてなる懐中電灯において、前記撮影手段は、静止画、動画、音声等の撮像データを保存する記録媒体及び／又は前記撮像データを関係各所に送信せしめる送信手段を備えてなる懐中電灯に存する。【０００８】  また、本考案は、電球等の照明手段と、該照明手段と電気的に接続された電池等のバッテリーとを有する懐中電灯本体と、該懐中電灯本体に設けられた撮影手段とを備えてなる懐中電灯において、前記撮影手段は、撮像するための光学情報を取り込むカメラレンズと、画像を一時的に記憶し若しくはその画像を保管する画像メモリ等の記録媒体と、撮影条件及び／又は撮像データの制御を行う制御回路と、操作パネル若しくは操作ボタンの操作で撮像データを関係各所に送信せしめる送信手段とを備えてなる懐中電灯に存する。【０００９】  更に、前記撮影手段は、記録媒体に光が当たる時間を調整するシャッターボタンと、赤外光を照射して暗視を行なう暗視レンズ及び／又は瞬時に光を発生させるストロボ若しくはフラッシュとを備えるのが良い。【００１０】  また、前記撮影手段は、懐中電灯本体から遊離して床や路面上に設置するための敷設部材を備えるのが良い。【００１１】  更に、前記敷設部材は、照明手段、撮影手段、送信手段の全て又は何れかを選択又は組み合わせて取り付けるための取付凹部と、照明手段及び／又は撮影手段をＯＮ／ＯＦＦせしめるスイッチとを備えたマットが好ましい。
【考案の効果】
【００１２】  本考案は上述のように構成され、前記撮影手段は、静止画、動画、音声等の撮像データを保存する記録媒体及び／又は撮像データを関係各所に送信するための送信手段を備えたことによって、ライトを人物や事故現場に向けた状態で、人物や事故現場を撮影することができるのみならず、その一連の行動、犯行・事件、事故現場等の撮像データを関係各所にリアルタイムに送信することができるといった効果を奏する。【００１３】  また、前記撮影手段は、撮像するための光学情報を取り込むカメラレンズと、該カメラレンズからの撮像データを記録するＣＣＤ等の記録媒体と、該記録媒体に光が当たる時間を調整するシャッターボタンと、赤外光を照射して暗視を行なう暗視レンズ及び／又は瞬時に光を発生させるストロボ若しくはフラッシュとを備えることによって、シャッターボタンを押すと同時にカメラレンズからの撮像データが記録媒体に記録され、また、暗室や暗闇であっても、シャッターチャンスを逃すことなく撮影できるといった効果を奏する。【００１４】  更に、前記撮影手段は、撮像するための光学情報を取り込むカメラレンズと、画像を一時的に記憶し若しくはその画像を保管する画像メモリ等の記録媒体と、撮影及び／又は撮像データの制御を行う制御回路と、操作パネル若しくは操作ボタンの操作で撮像データを関係各所に送信せしめる送信手段とを備えることによって、画像が鮮明である他、経年変化にも強いため、実証検分に役立つなど、事件等の証拠能力としての価値を高めることができると共に、撮像データを管理者や所定官庁等の関係各所に速やかに送信できるため、警察等の関係各位にあってはその撮像データを即ネットで配信でき、更には、ＰＣ携帯端末等のプラットホームを介して迅速かつリアルタイムに緊急手配ができたり、リアルタイムな犯行現場の状況を映像で関係各所に報知することができるため、出動、緊急配備、交通規制等の所期行動を正確、かつ、スピーディーに行うことができる。【００１５】  また、前記撮影手段は、懐中電灯本体から遊離して床や路面上に設置するための敷設部材を備えたことによって、人の目では見えづらい箇所、例えば、車両の下に隠されている危険物などの発見などに役立つことができるといった効果を奏する。【００１６】  更に、前記敷設手段は、照明手段、撮影手段、送信手段の全て又は何れかを選択又は組み合わせて取り付けるための取付凹部と、照明手段及び／又は撮影手段をＯＮ／ＯＦＦせしめるスイッチとを備えたマットであることによって、マットの上を通過する物を感知すると自動的にスイッチが入り、前記撮影手段を起動させ、路面上からの静止画、動画、音声等の撮像データを別体のモニターに映し出したり、延いては前記送信手段と連動させて同データーを関係各所にリアルタイムに送信することができるといった効果を奏する。【００１７】  このように本考案は、懐中電灯としてだけではなく、警備セキュリティー用具として暗室や暗闇での見回り時の照明として使用しながら現状、現場を動画として撮影記録し、また、メモリに自動保存された撮影記録や画像等の撮像データをリアルタイムで関係各所に送信することができるなど、本考案を実施することはその実益的価値が甚だ大である。
【考案を実施するための最良の形態】
【００１８】  撮影手段は、静止画、動画、音声等の撮像データを保存する記録媒体及び／又は撮像データを関係各所に送信するための送信手段を備える。就中、被写体の像をＣＣＤの位置にピントを合わせて結像させるカメラレンズと、ＣＣＤに画像を一時的に記憶し若しくはその画像を保管する画像メモリと、撮影全般の制御を行う制御回路と、該制御回路の制御で操作パネル若しくは操作ボタンから撮像データを送信せしめる送信手段とを備えるのが良い。
【実施例１】
【００１９】  次に、本考案に係る懐中電灯の第１実施例を図１乃至図５を参照しながら説明する。図中Ａは本考案に係る懐中電灯であり、この懐中電灯Ａは、図１に示すように、所定大きさの懐中電灯本体１と、該懐中電灯本体１に設けられた撮影手段２（図５参照）とを備えている。【００２０】  懐中電灯本体１は、例えば、合成樹脂材や４１４０鋼製スチール、４１３５カーボンスチール等の硬質軽金属からなり、大径の照明手段１ａと、該照明手段１ａに連設された筒状の握柄部１ｂとを備えている。【００２１】  照明手段１ａは、外形が六角形を呈しており、図３に示すように、環状に配置された高輝度のＬＥＤ等からなる発光体１ｃ，１ｃ…と、該発光体１ｃ，１ｃ…の前面を保護する透明カバー１ｄとを備える照明手段が内設されており、前記透明カバー１ｄの中心位置に後述するカメラレンズが仕込まれている。【００２２】  握柄部１ｂには、発光体１ｃ，１ｃ…と電気的に接続されるバッテリー１ｅの他、後述する撮影手段２の主要構成要素を内装すると共に、発光ボタンと兼用されたシャッターボタン３が外設されている。【００２３】  一方、撮影手段２は、図２に示すように、ＣＣＤ（Ｃｈａｒｇｅ  Ｃｏｕｐｌｅｄ  Ｄｅｖｉｃｅ）カメラ２ａ、記録媒体２ｂ、バッテリー２ｃ、カメラの集積回路等の制御回路２ｄとを備えている。【００２４】  ＣＣＤカメラ２ａは、カメラレンズ２ａ１がコンパクトであるだけではなく、光に対して非常に感度が良く、手ブレが画像に現れにくいため、本懐中電灯に採用するものである。【００２５】  カメラレンズ２ａ１としては、例えば、広角レンズ、望遠レンズ、暗視レンズ、赤外線レンズなどが挙げられ、使用場所や用途に応じて使い分けされ、２ｍ若しくは５ｍ以内で自動照準できるようになっている。【００２６】  因に、レンズの焦点距離ｆは、凸レンズの光軸に平行光線を当てた時、光線がレンズを通過後、光軸の１点を通る所が焦点であり、レンズの中心からその焦点までの距離をいうものであって、この数値が小ければ広角になり、逆に数値が大きければ望遠になることは云うまでもない。【００２７】  記録媒体２ｂは、ハードディスクドライブ（ＨＤＤ）及び／又はメモリカード（例えば、４ＧＢのｍｉｎｉＳＤカード）等のメモリコントローラからなり、ＣＣＤカメラ２ａで撮影した静止画、動画、音声を記録する記録用のドラムやディスクカード等のメモリメディアの他、静止画のみならず動画や音声も記録できるようにビデオドライバーも兼備している。【００２８】  また、この記録媒体２ｂを出し入れするためのディスクドライブ（図示せず）は、不使用時はロック手段（図示せず）を介して施錠されている。ディスクドライブの形態としては、トレイ方式、キャディ方式、スロットイン方式などが知られているが、使い勝手の点からは、スロットイン方式が望ましい。この方式は、差し込むと自動的にディスクを読み込んでくれるもので、ディスクを載せる特別のキャディなどは必要としない。【００２９】  記録媒体２ｂの記録方式としては、磁気的な記録方式、光学的な記録方式或いはその他の様々な方式を取ることができる。例えば、磁気的な記録方式を用いるメモリーメディア２ａ２としては、フロッピー（登録商標）デ���スクとそれを大容量化したディスク技術、リムーバルハードディスク技術が挙げられる。また、光学的な記録方式としては、ＣＤ−ＲＷ、ＰＤ、ＤＶＤ等のコンパクトディスクが挙げられ、その他、光磁気ディスクがある。【００３０】  バッテリー２ｃは、電力を供給する電池であり、例えば、乾電池、リチウムイオン電池、蓄電池、太陽電池が挙げられ、できるだけコストパーフォマンスが良くて長く撮影できるものが望ましい。【００３１】  制御回路２ｄは、カメラ自体の制御、演算を司る様々な回路が集積回路（マイクロプロセッサー：ＭＰＵ）として搭載されおり、後述するようにイメージセンサー、画素数、水平画像度、最低照度、ＣＤＳ、ＡＧＣ、ＪＰＥＧ等を自動制御している。【００３２】  イメージセンサーは、主にＣＣＤやＣＭＯＳ等の撮像素子であり、ＣＣＤやＣＭＯＳには１／２ＣＣＤや１／３ＣＭＯＳ等と表記し、イメージセンサーのサイズを表している。【００３３】  更に、画素数は、イメージセンサーの画素数であり、この数値が大きければ画質が良いことになるが、画素数が少なくても、映像を処理する基板等の性能が高ければ画質は良くなることは云うまでもない。【００３４】  また、水平解像度は、カメラやモニターで、水平方向がどれくらいきめ細かく再現できるかを表すもので、アナログ方法のテレビ放送の解像度が約３５０本ぐらいであるため、それ以上の解像度があれば画質はかなり良いことになる。【００３５】  更に、最低照度は、カメラがどのくらいの暗い場所で映像を映せるかの大まかな目安になるもので、この数値が低ければ低いほどカメラは暗い場所に強いといううことになる。但し、映像を良好に映し出せるにはこの最低照度の２、３倍の照度が必要となる。【００３６】  また、ＣＤＳは、受ける光に量によって内部の電気抵抗が変わる光導電素子であり、カドミウム（Ｃｄ）とイオウ（Ｓ）の化合物からできており、カメラの露出計として使用されている。【００３７】  また、ＡＧＣ（Ａｕｔｏｍａｔｉｃ  Ｇａｉｎ  Ｃｏｎｔｒｏｌ）は、電子回路の一種で、入力信号のレベルの大小にかかわらず出力を常に一定に保つための補助回路であり、ある一定のレベルを越えた強いレベルの信号が入ってきた時、ゲイン（フィルムの感度と同じ意）を制御して信号飽和を防ぐもので、弱い信号の場合は、ある一定のレベルまで上げてその一定のレベルを保つことができる（自動利得調整）。【００３８】  換言すれば、入力信号が弱い場合には感度を上げ、逆に入力信号が強い場合には感度を下げて出力することによって、出力が常に一定であるように、入力信号を可変制御することができる。例えば、受信した信号を増幅させて出力するまでの過程でＡＧＣを通すことによってレベルを一定にし、スピーカーからは一定の音量で音を出力することが可能になり、ＣＣＤカメラやデジタルビデオカメラで撮影した映像の明暗差などもＡＧＣによって均一の明度になるよう制御される。【００３９】  また、ＪＰＥＧ（Ｊｏｉｎｔ  Ｐｈｏｔｏｇｒａｐｈｉｃ  Ｅｘｐｅｒｔｓ  Ｇｒｏｕｐ）は、静止画像データの圧縮方式の一つであり、圧縮の際に、若干の画質劣化を許容する（一部のデータを切り捨てる）方式と、まったく劣化のない方式を選ぶことができ、許容す���場合はどの程度劣化させるかを指定することができる。【００４０】  一方、シャッターボタン３は、撮像素子に対して撮影時のみ光があたるべく撮影時以外に光を遮断し前記記録媒体２ａに露光する時間を制御するものである。因に、シャッタースピードの数値の幅が広ければ、暗いところから明るいところまで幅広く対応できるため、シャッタースピードを任意で切り替えられるようにしても良い。【００４１】  因に、このシャッターボタン３は、発光ボタン（照明のＯＮ／ＯＦＦボタン）と兼用しているものであり、長押しすることでとＬＥＤライト１ｃ，１ｃ…が点灯し、再度、長押しすることで消灯するようにプログラムされているが、シャッターボタン３とは別に発光ボタンを設けても良い。【００４２】  他方、送信手段４は、ＬＣＤコントローラ、操作パネル若しくは操作ボタンでの操作により、電波でカメラの映像を撮像データとして関係各所にリアルタイムに送信するものであり、使用する電波には主として１．２ＧＨｚ帯、２．４ＧＨｚ帯、ＵＨＦ帯の周波数を使用するが、警察用の特定周波数を介して送信されるのが望まれる。【００４３】  因に、一番電波の到達距離が長いのが１．２ＧＨｚ帯を使ったもので、次に２．４ＧＨｚ帯、ＵＨＦ帯となり、また、映像を電波で飛ばす以外のものとして、送信機と受信機をレーザーで結ぶ方法を採用しても良い。【００４４】  しかも、記録された画像は、警察、消防等の関係各位にあっては、即インターネットで配信でき、また、ＰＣ携帯端末等のプラットホームを介して迅速かつリアルタイムに通報、緊急手配ができるようにプログラムされており、犯行現場の状況をスピーディーに映像で関係各所に報知することができる。【００４５】  ＬＣＤコントローラは、例えば、液晶表示部であり、カメラレンズ２ａ１でとらえた被写体や、操作に必要な情報などが表示される。表示部としては、液晶に限らないが低電力で小型化できるものであれば如何なるものを使用しても良い。【００４６】  このように構成される本考案の懐中電灯は、人物や物に懐中電灯を向けるだけでカメラレンズ２ａ１で捉えることができると共に、懐中電灯本体１を握る手指でシャッターボタン３を押すだけで、人に気づかれることなく簡単に撮影することができる。また、動画への切り替えも簡単にできるなど、一連の犯罪行為を撮影できるため、犯人や犯行の決定的な証拠となる分、犯人を逮捕し易くなり、また、結果的に犯罪を予防することにもなる。【００４７】  また、本考案の懐中電灯は、図５に示すように、警備用具や災害用具としても役に立つものであり、関係各所にリアルタイムに撮像データを送信できるため、通報、緊急手配がスピーディーに行えると共に、現場へ的確な指示が可能になるなど、懐中電灯としてだけではなく防犯防災の必需品として大きな役割を果たすことができる【００４８】  次に、本考案の第２実施例を図６を参照しながら説明する。尚、理解を容易にするため、前述した第１実施例と同一部分は同一符号で示し、構成の異なる処のみを新たな番号を付して以下に説明する。【００４９】  また、撮影手段２は、懐中電灯本体１から遊離して床や路面上に設置するための敷設部材５を備えている。この敷設部材５は、図６に示すように��ロング状のロールマットであり、ＬＥＤライト等の照明手段１ａ、撮影手段２、送信手段４を等間隔に取り付けるための取付凹部５ａ、５ａ…と、照明手段１ａ及び／又は撮影手段２をＯＮ／ＯＦＦせしめるセンサ式スイッチ５ｂとを備えている。【００５０】  従って、前記撮影手段２は、懐中電灯本体１から遊離されてロールマット上に敷設できることから、人の目では見えづらい箇所、例えば、車両の下に隠されている危険物などの発見に役立つことができる。【００５１】  換言すれば、敷設部材５の上を通過する人や車等の物体をセンサ式スイッチ５ｂで感知すると、自動的に前記照明手段１ａ、撮影手段２を起動させ、路面上からの静止画、動画、音声等の撮像データを別体のモニター（図示せず）に映し出したり、前記送信手段４と連動させて同データーを関係各所にリアルタイムに送信することができるため、警備セキュリティー用具としても役立つことができる。【００５２】  尚、本考案の懐中電灯は、本実施例に限定されることなく、本考案の目的の範囲内で自由に設計変更し得るものであり、本考案はそれらの全てを包摂するものである。例えば、撮影のために明るさが足りないときには、自動的にストロボやフラッシュ（図示せず）が焚かれることは云うまでもない。
【図面の簡単な説明】
【００５３】
【図１】本考案に係る懐中電灯の第１実施例を示す説明図である。
【図２】同懐中電灯の機構概要を示す説明図である。
【図３】同懐中電灯の正面図である。
【図４】同懐中電灯の照明手段を示す一部分解説明図である。
【図５】同懐中電灯の用途を示す説明図である。
【図６】同懐中電灯の第２実施例を示す説明図である。
【符号の説明】
【００５４】  １  懐中電灯本体
１ａ  照明手段
１ｂ  握柄部
１ｃ  発光体
１ｄ  透明カバー
１ｅ  バッテリー
２  撮影手段
２ａ  ＣＣＤカメラ
２ａ１カメラレンズ
２ｂ  記録媒体
２ｃ  バッテリー
２ｄ  制御回路
３  シャッターボタン
４  送信手段
５  敷設部材
５ａ  取付凹部
５ｂ  スイッチ
【図１】
0003142539.tif 000003
【図２】
0003142539.tif 000004
【図３】
0003142539.tif 000005
【図４】
0003142539.tif 000006
【図５】
0003142539.tif 000007
【図６】
0003142539.tif 000008